(57)【要約】【課題】被綴込物を容易に着脱できる綴じ具を提供する。【解決手段】綴じ具８は、綴じ具本体６および綴じ部材７を有する。綴じ部材７は、第１綴じ部材２１および第２綴じ部材２２を有する。これら第１綴じ部材２１および第２綴じ部材２２は、可撓性を有する板状のフレーム部２３と、このフレーム部２３に接続した挿通部２４とを有する。各フレーム部２３はそれぞれ第１ヒンジ部を介して綴じ具本体６に接続している。また、挿通部２４は第２ヒンジ部を介して他の挿通部２４と接続している。綴じ部材７は、各フレーム部２３の挿通部２４側が綴じ具本体６から離間して、各挿通部２４が貫通孔１７ａ，１７ｂを挿通しない起立状態と、各フレーム部２３が綴じ具本体６の表壁部１２および裏壁部１３に略平行で、各挿通部２４が貫通孔１７ａ，１７ｂを挿通した倒伏状態との間で変化可能である。【選択図】図１
2010131876.tif 000002
【特許請求の範囲】
【請求項１】
一側縁部に複数の綴じ孔が形成された被綴込物を綴じ込む綴じ具であって、
綴じ具本体と、
この綴じ具本体に取り付けられた綴じ部材とを備え、
前記綴じ具本体は、貫通孔がそれぞれ設けられた表壁部および裏壁部が背壁部を介して連設され断面が略コ字状に形成されており、
前記綴じ部材は、第１綴じ部材および第２綴じ部材を有し、これら第１綴じ部材および第２綴じ部材は、一端が第１ヒンジ部を介して前記表壁部に接続された可撓性を有するフレーム部と、このフレーム部の他端に接続され前記貫通孔および前記綴じ孔に挿通可能な挿通部とがそれぞれ設けられ、この挿通部は第２ヒンジ部を介して他の挿通部に接続されており、
前記綴じ部材は、前記フレーム部の他端側が前記綴じ具本体から離間して前記表壁部に対して傾斜しかつ前記挿通部が前記貫通孔に挿通されない起立状態と、前記フレーム部が前記表壁部に略平行でありかつ前記各挿通部が前記貫通孔に挿通された倒伏状態との間で変化可能である
ことを特徴とする綴じ具。
【請求項２】
綴じ具本体は、表壁部、裏壁部および背壁部の長手方向の両端部において、これら表壁部、裏壁部および背壁部それぞれに接続された端壁部が設けられ、
前記表壁部、前記裏壁部、前記背壁部および前記端壁部にて１つの開口部を有する箱状に形成されている
ことを特徴とする請求項１記載の綴じ具。
【請求項３】
挿通部は、フレーム部とは反対側の先端部近傍に凹状に形成された係合部を有し、
前記係合部は、前記挿通部が貫通孔を挿通した状態で前記貫通孔の周縁に係合可能である
ことを特徴とする請求項１または２記載の綴じ具。
【請求項４】
表表紙と、背表紙と、裏表紙とが順次連設されたファイル本体と、
このファイル本体に設けられた請求項１ないし３記載の綴じ具とを備えている
ことを特徴とするファイル。
【発明の詳細な説明】
【技術分野】
【０００１】
本発明は、例えば書類や収納ホルダ等の一側縁部に複数の綴じ孔が形成された被綴込物を綴じ込むため綴じ具およびこの綴じ具を備えたファイルに関する。
【背景技術】
【０００２】
従来、このような綴じ具およびファイルとしては、所定方向に延びる長溝を有するベース部材と、前記長溝に設けられた貫通孔を通って前記ベース部材に挿通され、可撓性を有する綴じ足と、所定方向に前記ベース部材上をスライドし、そのスライド位置に応じて前記綴じ足を前記長溝内に挟持するスライド部材と、このスライド部材のスライドによって前記綴じ足を挟持する際に、前記綴じ足を曲げた状態で前記長溝内に保持する保持手段とを備えた構成のファイリング用具が知られている。このファイリング用具において被綴込物を綴じ込む際には、前記被綴込物の綴じ孔に前記綴じ足を挿通させ、この綴じ足を前記貫通孔を通って前記ベース部材に挿通させ、前記スライド部材を一方向へスライドさせることにより前記長溝内に前記綴じ足を挟持して保持する。また、前記ファイリング用具に綴じ込まれた前記被綴込物を取り外す際には、前記スライド部材を他方向へスライドさせて前記ベース部材による保持を解除し、前記ベース部材を取り外すことにより、前記被綴込物の前記綴じ孔に前記綴じ足が挿通された状態を解除して、所望の被綴込物を取り外す（例えば、特許文献１参照。）。
【０００３】
また、綴じ穴付きの紙葉類等の被綴込物を抜き差し可能に綴じ込むファイリング用具であって、ベースプレートの一側に配置された第１綴じ板と、前記ベースプレートの他側にヒンジ結合され、自由端が前記第１綴じ板から離間する方向へ回動可能に配置された第２綴じ板と、この第２綴じ板から前記第１綴じ板へ向かって延び、前記被綴込物の綴じ穴を貫通可能な綴じパイプと、前記第１綴じ板に設けられ、前記綴じパイプの先端部が離脱可能に係合される係合部材と、前記第１綴じ板または前記第２綴じ板のいずれかに着脱可能に装着される補助具とを備え、この補助具は、前記綴じパイプに対して一端側から挿入可能なロッド部分と、このロッド部分の他端側に設けられた被綴込物用抜け止め部とを有しているファイリング用具が知られている。このファイリング用具において被綴込物を綴じ込む際には、まず前記綴じパイプの先端部を係合部材から離脱させ、前記被綴込物の綴じ穴に前記綴じパイプを挿通させ、前記係合部材を再び前記綴じパイプの先端部に接続することにより、前記被綴込物を綴じ込んだ状態を保持する（例えば、特許文献２参照。）。
【０００４】
さらに、表壁部および裏壁部が背壁部を介して連設され断面が略コ字状に形成された綴じ部材と、この綴じ部材に取り外し可能に取り付けられる係合板とを備え、前記裏壁部と前記背壁部とがヒンジを介して回動可能に接続され、前記裏壁部には被綴込物の綴じ孔を挿通可能なパイプ状の挿通部が設けられ、前記表壁部には係合板が取り付けられた状態を保持する保持機構が設けられ、前記係合板には前記挿通部と係合可能な係合部が設けられている構成の綴じ具が知られている。この綴じ具において被綴込物を綴じ込む際には、まず前記表壁部による前記係合板の保持を解除して前記係合板を前記綴じ部材から取り外し、前記被綴込物の綴じ孔に前記挿通部を挿通させ、前記係合板を前記表壁部に取り付けて前記保持機構にて保持し、さらに、前記係合板の前記係合部を前記挿通部に係合させることにより、被綴込物を綴じ込んだ状態を保持する（例えば、特許文献３参照。）。
【特許文献１】特開２００７−８１２７号公報（第３−９頁、図１，図３，図８）
【特許文献２】特開２００７−２０３５１８号公報（第３−５頁、図２）
【特許文献３】意匠登録第１２３２８２１号公報（第１，２頁）
【発明の開示】
【発明が解決しようとする課題】
【０００５】
しかしながら、特許文献１を参照して述べた構成では、被綴込物を着脱する際には、各綴じ足を各被綴込物の綴じ孔およびベース部材の貫通孔に挿脱させる必要があり、さらに、スライド部材をスライドさせる必要があるので、操作が煩雑で着脱に手間がかかり、前記被綴込物を容易に着脱できない可能性が考えられる。
【０００６】
また、特許文献２および特許文献３を参照して述べた構成では、被綴込物を着脱する際には、各綴じパイプや各挿通部を被綴込物の綴じ孔に挿脱させる必要があり、さらに、綴じパイプの先端部を係合部材に係脱させたり、挿通部と係合部を係脱させたりする作業が必要があるので、それぞれ操作が煩雑で着脱に手間がかかり、前記被綴込物を容易に着脱できない可能性が考えられる。
【０００７】
本発明はこのような点に鑑みなされたもので、被綴込物を容易に着脱できるファイルを提供する。
【課題を解決するための手段】
【０００８】
本発明は、一側縁部に複数の綴じ孔が形成された被綴込物を綴じ込む綴じ具であって、綴じ具本体と、この綴じ具本体に取り付けられた綴じ部材とを備え、前記綴じ具本体は、貫通孔がそれぞれ設けられた表壁部および裏壁部が背壁部を介して連設され断面が略コ字状に形成されており、前記綴じ部材は、第１綴じ部材および第２綴じ部材を有し、これら第１綴じ部材および第２綴じ部材は、一端が第１ヒンジ部を介して前記表壁部に接続された可撓性を有するフレーム部と、このフレーム部の他端に接続され前記貫通孔および前記綴じ孔に挿通可能な挿通部とがそれぞれ設けられ、この挿通部は第２ヒンジ部を介して他の挿通部に接続されており、前記綴じ部材は、前記フレーム部の他端側が前記綴じ具本体から離間して前記表壁部に対して傾斜しかつ前記挿通部が前記貫通孔に挿通されない起立状態と、前記フレーム部が前記表壁部に略平行でありかつ前記各挿通部が前記貫通孔に挿通された倒伏状態との間で変化可能であるものである。
【０００９】
また、表表紙と、背表紙と、裏表紙とが順次連設されたファイル本体と、このファイル本体に設けられた上記綴じ具とを備えているものである。
【発明の効果】
【００１０】
本発明によれば、第１ヒンジ部を介して表壁部に接続されたフレーム部が可撓性を有し、第１綴じ部材の挿通部と第２綴じ部材の挿通部とが第２ヒンジ部を介して互いに接続されていることにより、綴じ部材は、起立状態と倒伏状態との間の状態では、前記フレーム部が撓み、前記フレーム部が撓んでいない起立状態または倒伏状態のいずれかに戻ろうするので、綴じ部材の起立状態と倒伏状態とを切り換え易く、被綴込物を容易に着脱できる。
【発明を実施するための最良の形態】
【００１１】
以下、本発明の第１の実施の形態の構成について図１ないし図７を参照しながら詳細に説明する。
【００１２】
図１に示すファイル１は、例えば、書類や収納ホルダ等の一側部に複数の綴じ孔が形成された図示しない被収納物を綴じ込むためのものである。
【００１３】
ファイル１は、被略矩形状の表表紙２と、略細長矩形状の背表紙３と、略矩形状の裏表紙４とが順次一体に連設されたファイル本体５を備えている。また、裏表紙４には、この裏表紙４に接合された綴じ具本体６およびこの綴じ具本体６に一体に接続された２つの綴じ部材７を有する綴じ具８とが設けられている。
【００１４】
ファイル本体５は、例えば合成樹脂や紙等により略矩形状に形成されている。また、３つの折曲線１１ａ，１１ｂ，１１ｃが配設され、折曲線１１ａにより表表紙２と背表紙３とが区切られ、折曲線１１ｂにより背表紙３と裏表紙４とが区切られている。なお、裏表紙４上の折曲線１１ｂと折曲線１１ｃとの間に綴じ具本体６が設けられている。そして、ファイル本体５は、折曲線１１ａ，１１ｂ，１１ｃにて折曲可能であり、通常、綴じ具８側を内側にして、折曲線１１ａ，１１ｂにて表表紙２と裏表紙４とが対向するように折曲された状態で例えばデスクや棚等の図示しない収納体に収納される。
【００１５】
綴じ具本体６は、例えば合成樹脂等により形成され、図１ないし図３に示すように、略平行な表壁部１２および裏壁部１３が、これら表壁部１２および裏壁部１３に略垂直な背壁部１４を介して一体に連設され、断面が略コ字状になるように形成されている。なお、綴じ具本体６は、裏壁部１３が裏表紙４に接合されている。
【００１６】
また、綴じ具本体６は、表壁部１２、裏壁部１３および背壁部１４の長手方向の両端部に、これら表壁部１２、裏壁部１３および背壁部１４それぞれに接続し、互いに対向する端壁部１５ａ，１５ｂが設けられている。
【００１７】
そして、綴じ具本体６は、これら表壁部１２、裏壁部１３、背壁部１４、端壁部１５ａ，１５ｂにて、背壁部１４の対向方向に向かって開口した１つの開口部１６を有する箱状に形成されている。
【００１８】
表壁部１２には、所定の距離を離間させた２つの略矩形状の貫通孔１７ａ，１７ａが形成されており、裏壁部１３における表壁部１２の貫通孔１７ａ，１７ａの延長線上には、貫通孔１７ｂ，１７ｂが形成されている。
【００１９】
また、表壁部１２における貫通孔１７ａ近傍の幅方向の開口部１６側の端部には、フランジ部１８が形成されている。さらに、表壁部１２における幅方向の開口部１６側の端部の略中央部には、略矩形状の切欠部１９が形成されている。
【００２０】
各綴じ部材７は、例えば合成樹脂等にて形成され、対をなす第１綴じ部材２１および第２綴じ部材２２を有している。
【００２１】
第１綴じ部材２１および第２綴じ部材２２それぞれには、可撓性を有する矩形板状のフレーム部２３が設けられている。このフレーム部２３は、一端が表壁部１２に接続され、また、他端には、矩形板状の挿通部２４が一体にかつフレーム部２３に対して略直角に接続されている。挿通部２４は、貫通孔１７ａ，１７ｂおよび被綴込物の綴じ孔に挿通可能である。
【００２２】
各第２綴じ部材２２の外面側であり、フレーム部２３と挿通部２４との接続部分には、矩形板状の操作部材２５が各第２綴じ部材２２に一体に接続され、この操作部材２５により２つの綴じ部材７が接続されている。
【００２３】
また、操作部材２５における幅方向の端部の略中央部であり、倒伏状態にて切欠部１９に対向する部分には、円弧状に形成された操作部２６が設けられている。
【００２４】
図４に示すように、第１綴じ部材２１および第２綴じ部材２２の各フレーム部２３は、挿通部２４とは反対側の一端が第１ヒンジ部２７を介して綴じ具本体６の表壁部１２に一体的に接続されている。これら各フレーム部２３は、綴じ具本体６に対して第１ヒンジ部２７を基点として回動可能である。また、各フレーム部２３の他端には挿通部２４がそれぞれ接続されている。さらに、対をなす第１綴じ部材２１の挿通部２４と第２綴じ部材２２の挿通部２４とは、各挿通部２４においてフレーム部２３側の端部とは反対側の先端部が第２ヒンジ部２８を介して一体的に接続されている。各挿通部２４は、第２ヒンジ部２８を中心として互いのフレーム部２３側の基端部が接離するように回動可能であり、挿通部２４が略平行な状態にて、貫通孔１７ａ，１７ｂに挿通可能である。さらに、操作部材２５は、第２綴じ部材２２に第３ヒンジ部２９を介して一体に接続されている。
【００２５】
そして、綴じ部材７は、図２に示すような第１綴じ部材２１および第２綴じ部材２２の各フレーム部２３の挿通部２４側が表壁部１２から離間して表壁部１２に対して傾斜し、かつ、第１綴じ部材２１の挿通部２４と第２綴じ部材２２の挿通部２４とにて略Ｖ字状をなし、各挿通部２４が貫通孔１７ａ，１７ｂに挿通されない起立状態と、図３に示すような各フレーム部２３が表壁部１２および裏壁部１３と略平行であり、かつ、第１綴じ部材２１の挿通部２４と第２綴じ部材２２の挿通部２４とが略平行で貫通孔１７ａ，１７ｂに挿通された倒伏状態との間で変化可能である。
【００２６】
第１綴じ部材２１および第２綴じ部材２２の各挿通部２４は、凹状に形成された係合部３０が、各フレーム部２３とは反対側の先端部近傍における倒伏状態にて各挿通部２４が互いに対向する面以外の外面側の３面に設けられている。
【００２７】
また、裏壁部１３の貫通孔１７ｂの周縁における表壁部１２側には、この貫通孔１７ｂの周縁の裏壁部１３側に対して凸状に形成され、係合部３０と係合可能な被係合部３１が形成されている。これら係合部３０と被係合部３１とは、通常、挿通部２４が貫通孔１７ｂに挿通されただけ状態では係合しないが、例えば被綴込物の重量等の外力が挿通部２４に作用し、係合部３０が被係合部３１側に向かって移動することにより係合する。
【００２８】
次に、上記第１の実施の形態の作用を説明する。
【００２９】
ファイル１に、被綴込物を綴じ込む際には、まず、ファイル本体５が折曲線１１ａ，１１ｂにて折曲された状態から表表紙２および裏表紙４を広げる。
【００３０】
綴じ部材７が倒伏状態となった綴じ具８において、操作部材２５の操作部２６に指を引っ掛け、操作部材２５を表壁部１２から離間させるように引き上げて綴じ部材７を起立状態にする。
【００３１】
綴じ具本体６の開口部１６から被綴込物の綴じ孔側の側縁部を背壁部１４へ向かって挿入する。この際、被綴込物の側縁部の両端部を端壁部１５ａ，１５ｂに合わせ、端壁部１５ａ，１５ｂに沿って被綴込物を挿入する。
【００３２】
被綴込物の綴じ孔側の側縁部を綴じ具本体６内に挿入した状態にて、操作部材２５を表壁部１２側へ押し下げ、綴じ部材７を倒伏状態にする。綴じ部材７が倒伏状態になると、図５に示すように、挿通部２４は、貫通孔１７ａと被綴込物の綴じ孔と貫通孔１７ｂとを挿通し、被綴込物が綴じ込まれた状態を保持する。
【００３３】
また、ファイル１から被綴込物を取り出す際には、操作部材２５の操作部２６に指を引っ掛けて、操作部材２５を表壁部１２から離間させるように引き上げ、綴じ部材７を起立状態にする。綴じ部材７を起立状態にすることにより、挿通部２４が貫通孔１７ａと被綴込物の綴じ孔と貫通孔１７ｂとを挿通した状態が解除される。
【００３４】
挿通部２４による綴じ孔の挿通が解除された被綴込物は、自由に取り出し可能な状態となるので、所望の被綴込物を取り出す。
【００３５】
そして、このようなファイル１において、第１ヒンジ部２７を介して表壁部１２に接続された各フレーム部２３が可撓性を有し、一方、各フレーム部２３に接続された挿通部２４はフレーム部２３と比べて可撓性が著しく低く、第１綴じ部材２１側の挿通部２４と第２綴じ部材２２側の挿通部２４とが第２ヒンジ部２８を介して接続されていることにより、綴じ部材７が外力により起立状態と倒伏状態との間の状態になると、フレーム部２３が撓む。
【００３６】
すなわち、第１綴じ部材２１側の挿通部２４と第２綴じ部材２２側の挿通部２４とが接続されていないと仮定すると、図６（ａ）に示すように、第１綴じ部材２１および第２綴じ部材２２は、挿通部２４の先端部が、第１ヒンジ部２７を中心とし第１ヒンジ部２７と第２ヒンジ部２８とを結ぶ線分を半径とした各自の二点鎖線にて示す円に沿って移動可能である。しかし、第１綴じ部材２１側の挿通部２４と第２綴じ部材２２側の挿通部２４とが第２ヒンジ部２８を介して接続されていることにより、図６（ｂ）に示すように、第１綴じ部材２１および第２綴じ部材２２がそれぞれ起立状態と倒伏状態との間では、挿通部２４が、各自の二点鎖線で示す円に沿って移動することを阻害される。そして、第１綴じ部材２１および第２綴じ部材２２が、それぞれ起立状態と倒伏状態との間を移動させようとする外力を受けると、起立状態と倒伏状態との間において、第１綴じ部材２１側の挿通部２４の先端部および第２綴じ部材２２側の挿通部２４の先端部それぞれが各自の二点鎖線で示す円から外れた軌道を描くことが強制される。そのため、可撓性を有する各フレーム部２３に応力が集中するため、フレーム部２３が撓む。
【００３７】
撓んだフレーム部２３は、撓んだ状態から撓んでない状態に戻ろう作用とする。したがって、綴じ部材７は、起立状態と倒伏状態との間では、フレーム部２３の撓みにより、フレーム部２３が撓んでいない起立状態または倒伏状態のいずれかの状態に変化し易く、起立状態と倒伏状態とが切り替え易いので、被綴込物を容易に着脱できる。
【００３８】
また、綴じ部材７は、起立状態と倒伏状態との間のフレーム部２３が撓んだ状態より、フレーム部２３が撓まない起立状態または倒伏状態の方が安定し易いので、外力が作用しない状態では、綴じ部材７を起立状態または倒伏状態に保持し易い。したがって、綴じ部材７を倒伏状態にして被綴込物を綴じ込んだ状態を保持できる。
【００３９】
さらに、第１ヒンジ部２７は、表壁部１２およびフレーム部２３と一体に形成された薄肉ヒンジとし、第２ヒンジ部２８は、第１綴じ部材２１の挿通部２４および第２綴じ部材２２の挿通部２４と一体に形成された薄肉ヒンジとし、第３ヒンジ部２９は、操作部材２５およびフレーム部２３と一体に形成された薄肉ヒンジとすることによって、例えば合成樹脂等により綴じ具８全体を同一の素材で形成できるので、綴じ具８を容易に製造できる。
【００４０】
裏表紙４に折曲線１１ｃを設け、折曲線１１ｃにて裏表紙４を外側へ折曲し易くすることにより、裏表紙４に接合された綴じ具本体６に被綴込物が綴じ込まれた状態において、この被綴込物の複数の綴じ孔が形成された一側部を裏壁部１３を基点にして折り曲げられるので、被綴込物を閲覧をし易い。
【００４１】
２つの綴じ部材７がそれぞれ操作部材２５に接続されることにより、操作部材２５を綴じ具本体６に対してワンタッチで引き上げたり押し下げたりするだけで、２つの綴じ部材７の起立状態と倒伏状態との切り替えを連動して行えるので、操作性を向上でき、より容易に被綴込物を着脱できる。
【００４２】
また、操作部材２５に操作部２６を設け、表壁部１２に切欠部１９を設けることにより、操作部２６に使用者が指を引っ掛け易く、綴じ具を倒伏状態から起立状態にする際に、操作部材２５を操作し易くできるので、綴じ部材７を倒伏状態から起立状態へ切り換え易くできる。
【００４３】
綴じ具本体６は、表壁部１２、裏壁部１３および背壁部１４の長手方向の両端部において、表壁部１２、裏壁部１３および背壁部１４それぞれに接続する端壁部１５ａ，１５ｂが設けられることにより、被綴込物を綴じ具本体６に挿入する際に、被綴込物の綴じ孔側の側縁部の両端部を端壁部１５ａ，１５ｂに合わせることによって、被綴込物の綴じ孔を挿通部２４にて挿通可能な位置に合わせることができるので、被綴込物の位置がずれ難くスムーズに綴じ込むことができる。
【００４４】
また、挿通部２４によって被綴込物の綴じ孔を挿通した状態にて、ファイル本体５を端壁部１５ａ，１５ｂが鉛直方向を向いた状態にしても、端壁部１５ａ，１５ｂによって被綴込物が鉛直方向に移動し難く、被綴込物の移動による被綴込物の綴じ孔の拡大や綴じ具８の破損等を防止できる。
【００４５】
挿通部２４は、綴じ部材７を倒伏状態にしただけの通常の状態では、図５に示すように貫通孔１７ａ，１７ｂを挿通しているだけである。
【００４６】
ここで、図７（ａ）に示すように、ファイル１を背壁部１４が上側に位置するように傾けた状態等にして、ファイル１に綴じ込んだ二点鎖線で示す被綴込物の重量が、背壁部１４から開口部１６の方向へ作用した際には、被綴込物の重量により挿通部２４の開口部１６側の面に位置する係合部３０が貫通孔１７ｂの周縁の被係合部３１に係合する。
【００４７】
また、図７（ｂ）に示すように、ファイル１を端壁部１５ａが上側に位置するように傾けた状態等にして、ファイル１に綴じ込んだ二点鎖線で示す被綴込物の重量が、第１綴じ部材２１から第２綴じ部材２２の方向、すなわち、端壁部１５ａから端壁部１５ｂの方向へ作用した際には、被綴込物の重量により第２綴じ部材２２の挿通部２４の端壁部１５ｂ側の係合部３０が貫通孔１７ｂの周縁の被係合部３１に係合する。
【００４８】
さらに、図７（ｃ）に示すように、ファイル１を端壁部１５ｂが上側に位置するように傾けた状態等にして、ファイル１に綴じ込んだ二点鎖線で示す被綴込物の重量が、第２綴じ部材２２から第１綴じ部材２１の方向、すなわち、端壁部１５ｂから端壁部１５ａの方向へ作用した際には、被綴込物の重量により第１綴じ部材２１の挿通部２４の端壁部１５ａ側の係合部３０が貫通孔１７ｂの周縁の被係合部３１に係合する。
【００４９】
このように、挿通部２４におけるフレーム部２３とは反対側の先端部近傍に係合部３０が形成されることにより、挿通部２４が貫通孔１７ｂを挿通した状態にて被綴込物の自重等によって挿通部２４が移動することにより、係合部３０が貫通孔１７ｂの周縁に係合可能であり、挿通部２４の挿通状態を保持できる。したがって、被綴込物の自重やその他の外力等によって挿通部２４の挿通状態が解除されるおそれを防止できる。また、このような挿通状態の解除に伴う綴じ具本体６や綴じ部材７の破損を防止できる。
【００５０】
さらに、貫通孔１７ｂの周縁の表壁部１２側に被係合部３１を形成することにより、係合部３０がより強固に係合できるので、挿通状態の保持力を向上でき、挿通状態をより解除され難くできる。
【００５１】
なお、上記一実施の形態では、ファイル本体５に綴じ具８を設けて構成したファイル１としたが、綴じ具８は、ファイル本体５に設けず、綴じ具８のみで使用することも可能である。
【００５２】
ファイル１は、裏表紙４に綴じ具本体６を設ける構成としたが、このような構成に限定されず、綴じ具本体６を設ける箇所は、ファイル本体５上であればよい。
【００５３】
また、綴じ具本体６を接合によりファイル本体５上に設ける構成には限定されず、綴じ具本体６をファイル本体５に対して固定できればどのような方法であってもよい。
【００５４】
ファイル本体５は、表表紙２と裏表紙４と背表紙３とが一体に形成され、折曲線１１ａ，１１ｂにより区切られる構成には限定されず、表表紙２と裏表紙４と背表紙３とを別体のシート体にて構成し、それぞれのシート体を接続された構成等でもよい。また、裏表紙４に折曲線１１ｃを設けることにより、操作性を向上できるので好ましいが、折曲線１１ｃを設ける構成には限定されず、折曲線１１ｃを設けない構成としてもよい。
【００５５】
綴じ具８は、綴じ具本体６と綴じ部材７とが一体に形成された構成には限定されず、別個の綴じ具本体６と綴じ部材７とが接続された構成等でもよい。また綴じ具本体６と綴じ部材７とを別体にて形成する場合は、異なる素材にて形成する構成にしてもよい。
【００５６】
綴じ具本体６は、端壁部１５ａ，１５ｂが設けられた構成にすることにより、被綴込物を綴じ込む際に被綴込物の位置がずれ難くスムーズに綴じ込むことができるので好ましいが、端壁部１５ａ，１５ｂを設ける構成には限定されず、端壁部１５ａ，１５ｂを設けない構成にしてもよい。
【００５７】
貫通孔１７ａ，１７ｂは、略矩形状の構成には限定されず、被綴込物の綴じ孔に挿通される挿通部２４が挿通可能な形状であれば、例えば円形等でもよい。
【００５８】
綴じ部材７は、２つ設けられた構成には限定されず、倒伏状態にして被綴込物を保持できれば、その数は適宜設定できる。また、綴じ部材７の数に応じて貫通孔１７ａ，１７ｂが数を設定される。
【００５９】
また、綴じ部材７は、操作部材２５を設けることにより、操作性を向上できるので好ましいが、操作部材２５を設けた構成には限定されず、操作部材２５を設けない構成としてもよい。また、操作部材２５を設ける場合は、操作部材２５は、複数の綴じ部材７の各第２綴じ部材２２に接続される構成には限定されず、各第１綴じ部材２１に接続する構成にしてもよい。さらに、操作部材２５は、第１綴じ部材２１または第２綴じ部材２２に一体に接続される構成には限定されず、操作部材２５が別体で形成された構成にしてもよい。
【００６０】
また、操作部材２５に操作部２６が設けられ、倒伏状態にて表壁部１２の操作部２６に対向する部分に切欠部１９が設けられることにより、綴じ部材７を倒伏状態から起立状態へ切り換え易いので好ましいが、このような構成には限定されず、操作部２６および切欠部１９を設けない構成にしてもよい。
【００６１】
第１綴じ部材２１および第２綴じ部材２２は、フレーム部２３と挿通部２４とが略垂直に接続された構成には限定されず、倒伏状態にて挿通部２４が貫通孔１７ａ，１７ｂおよび被綴込物の綴じ孔を挿通可能な構成であればよい。
【００６２】
また、第１綴じ部材２１および第２綴じ部材２２は、フレーム部２３と挿通部２４とが一体に形成される構成には限定されず、別個に形成したフレーム部２３と挿通部２４とを接続させる構成でもよい。
【００６３】
フレーム部２３は、合成樹脂にて形成される構成には限定されず、可撓性を有する素材にて適宜形成できる。また、フレーム部２３は、矩形板状の形状に限定されず、その形状は適宜設定できる。
【００６４】
また、挿通部２４は、矩形板状の形状に限定されず、貫通孔１７ａ，１７ｂおよび被綴込物の綴じ孔を挿通可能であれば、例えば棒状等で適宜形成できる。
【００６５】
第１ヒンジ部２７は、合成樹脂によりフレーム部２３および表壁部１２と一体に形成され、第２ヒンジ部２８は、合成樹脂により第１綴じ部材２１の挿通部２４および第２綴じ部材２２の挿通部２４と一体に形成された構成にすることで、綴じ具８全体を同一の素材で一体形成でき、容易に製造できるので好ましいが、このような構成には限定されず、第１ヒンジ部２７および第２ヒンジ部２８として、例えば蝶番等の別部材を取り付け、フレーム部２３や挿通部２４をより正確に回動できる構成等にしてもよい。
【００６６】
挿通部２４は、フレーム部２３とは反対側の先端部近傍に凹状の係合部３０を設ける構成には限定されず、係合部３０を設けない構成にしてもよい。また、係合部３０を設ける場合は、倒伏状態にて略平行になる挿通部２４の外側面である３面に形成される構成には限定されず、外側面である３面のうちいずれか１面や２面にのみ係合部３０を形成する構成等にしてもよい。
【００６７】
さらに、貫通孔１７ｂの周縁に被係合部３１を形成することにより、係合部３０が貫通孔１７ｂの周縁に係合し易いので好ましいが、このような構成には限定されず、被係合部３１を形成しない構成等にしてもよい。
【００６８】
次に、第２の実施の形態について図８（ａ）および（ｂ）を参照しながら説明する。なお、上記の実施の形態と同一の構成については、同一符号を付してその説明を省略する。
【００６９】
図８（ａ）および（ｂ）に示すように、第１綴じ部材２１および第２綴じ部材２２のフレーム部２３は、２つの矩形板状のフレーム体３３ａ，３３ｂにて形成されている。
【００７０】
フレーム体３３ａは、一端が第１ヒンジ部２７を介して表壁部１２に接続され、他端には挿通部２４が接続されている。
【００７１】
また、フレーム体３３ｂは、一端が第４ヒンジ部３２を介して表壁部１２に接続され、他端は、第５ヒンジ部３４を介してフレーム体３３ａに接続されており、フレーム体３３ｂは第５ヒンジ部３４を基点としてフレーム体３３ａに対して回動可能である。さらに、フレーム体３３ｂには、第６ヒンジ部３５が設けられている。この構成により、第１綴じ部材２１および第２綴じ部材２２が、それぞれ綴じ部材７を起立状態から倒伏状態に変化させようとする外力を受けると、まず、フレーム体３３ａは、フレーム体３３ａの他端と第５ヒンジ部３４との間に応力が集中して撓む。さらに強い外力を受けると、フレーム体３３ａの他端と第５ヒンジ部３４との間に集中していた応力が、フレーム体３３ａにおける第１ヒンジ部２７と第５ヒンジ部３４との間およびフレーム体３３ｂに伝わり、綴じ部材７を倒伏状態にした際には、フレーム体３３ｂが、第６ヒンジ部３５にてフレーム体３３ａに向かう方向に折曲され折畳まれた状態になる。
【００７２】
このように、フレーム部２３が２つのフレーム体３３ａ，３３ｂによって構成されることにより、綴じ部材７を起立状態から倒伏状態へ変化させる際により大きな外力を要する。すなわち、綴じ部材７を倒伏状態から起立状態へ変化させる際にもより大きな外力を要することになる。したがって、起立状態および倒伏状態をより安定して保持できるので、より確実に被綴込物を綴じ込むことができる。
【００７３】
なお、この第２の実施の形態では、２つのフレーム体３３ａ,３３ｂにてフレーム部２３を形成する構成としたが、フレーム体３３の数は２つに限定されず、適宜設定できる。さらに、第１綴じ部材２１におけるフレーム部２３のフレーム体３３の数と第２綴じ部材２２におけるフレーム部２３のフレーム体３３の数とが異なっていてもよい。
【００７４】
また、複数のフレーム体３３にてフレーム部２３を形成する構成では、複数のフレーム体３３のうち少なくとも１つのフレーム体３３の端部が表壁部１２に接続されていればよく、複数のフレーム体３３のうちのいずれかに挿通部２４が接続されていればよい。
【図面の簡単な説明】
【００７５】
【図１】本発明のファイルにおける第１の実施の形態を示す斜視図である。
【図２】同上ファイルにおける綴じ具の部分斜視図である。
【図３】同上ファイルにおける綴じ具の部分斜視図である。
【図４】同上ファイルにおける綴じ具の平面図である。
【図５】同上ファイルにおける綴じ具が倒伏状態の際の部分断面図である。
【図６】（ａ）は同上ファイルにおける綴じ具が起立状態の際の部分平面図であり、（ｂ）は同上ファイルにおける綴じ具が起立状態と倒伏状態との間の状態の際の部分平面図である。
【図７】（ａ）ないし（ｃ）は同上ファイルにおける係合部の係合の様子を示す部分断面図である。
【図８】（ａ）は本発明のファイルにおける第２の実施の形態を示す部分斜視図であり、（ｂ）は本発明のファイルにおける第２の実施の形態を示す部分平面図である。
【符号の説明】
【００７６】
１    ファイル
２    表表紙
３    背表紙
４    裏表紙
５    ファイル本体
６    綴じ具本体
７    綴じ部材
８    綴じ具
１２  表壁部
１３  裏壁部
１４  背壁部
１５ａ端壁部
１５ｂ端壁部
１６  開口部
１７ａ貫通孔
１７ｂ貫通孔
２１  第１綴じ部材
２２  第２綴じ部材
２３  フレーム部
２４  挿通部
２７  第１ヒンジ部
２８  第２ヒンジ部
３０  係合部
【図１】
2010131876.tif 000003
【図２】
2010131876.tif 000004
【図３】
2010131876.tif 000005
【図４】
2010131876.tif 000006
【図５】
2010131876.tif 000007
【図６】
2010131876.tif 000008
【図７】
2010131876.tif 000009
【図８】
2010131876.tif 000010